(57)【特許請求の範囲】
【請求項１】
第１竿体と第２竿体とを連結する竿体の連結構造であって、
穂先側端部に雌ネジ部が形成されたジョイントナットを有する管状の第１竿体と、
前記ジョイントナットの内部の前記雌ネジ部と前記第１竿体との間に、周方向回転不能に配置され軸方向に形成された第１係止部を穂先側に有する合成樹脂製の回止リングと、
前記第１竿体の穂先側に挿入され連結される第２竿体と、
前記第２竿体の外周面に周方向に回転自在に配置され前記雌ネジ部に螺合するネジ山が形成された雄ネジ部材と、
前記第１竿体及び前記ジョイントナットに挿入可能に、前記第２竿体の雄ネジ部材より竿元側の外周面に配置され、外周面の穂先側に形成され径外方向に突出する係止突起に前記回止リングの前記第１係止部に凹凸係止する第２係止部を有する合成樹脂製のパイプ部材とを備え、
前記第２竿体を前記第１竿体に穂先側から挿入後、前記ジョイントナットに前記雄ネジ部材を螺合させて、前記第１竿体と前記第２竿体とを連結できるようにした
ことを特徴とする竿体の連結構造。
【請求項２】
前記回止リングは周方向に１８０度変位した位置に第１係止部をそれぞれ有し、前記パイプ部材は外周面の周方向に１８０度変位した位置に第２係止部をそれぞれ有している、請求項１に記載の竿体の連結構造。
【請求項３】
前記第１係止部は穂先側方向に突出する平面視楕円型突起であり、
前記第２係止部は穂先側側方向に凹入する平面視三角形窪みである、
請求項１又は２に記載の竿体の連結構造。
【発明の詳細な説明】
【０００１】
【発明の属する技術分野】
本発明は、複数の竿体を連結する際の竿体の連結構造に関する。
【０００２】
【従来の技術】
魚釣りに用いる釣竿には、複数の竿体を連結し一本の釣竿として用いるものがある。例えば従来の釣竿は、図７に示すように、リールが装着される管状の元竿５１と、元竿５１の穂先側に連結され周面上に複数の釣糸ガイドが配置された竿本体５２とを有する。竿本体５２を元竿５１の穂先側から挿入し、竿本体５２の竿元側端面に形成された凹溝５３を元竿５１内に配置された係止棒５４に契合させることで、竿本体５２の元竿５１に対する嵌入位置が定められると共に竿本体５２の周方向回転が規制される。そして、竿本体５２の外周面に回転自在に装着された締結リング５５を元竿５１の雄ネジ部５６に螺合させることで、竿本体５２が元竿５１に連結される。
【０００３】
【発明が解決しようとする課題】
上記従来の連結構造のように、係止棒を用いて竿本体を係止し周方向回転を規制する構成では、係止棒の配置等の工程が煩雑である。また、竿本体を元竿に固定した際のがたつきを十分に抑えられない場合がある。本発明の課題は、竿体同士をがたつきなく十分に連結できる竿体の連結構造を提供することにある。
【０００６】
【課題を解決するための手段】
発明１にかかる連結構造は、第１竿体と第２竿体とを連結する竿体の連結構造であって、穂先側端部に雌ネジ部が形成されたジョイントナットを有する管状の第１竿体と、ジョイントナットの内部の雌ネジ部と第１竿体との間に、周方向回転不能に配置され軸方向に形成された第１係止部を有する合成樹脂製の回止リングと、第１竿体の穂先側に挿入され連結される第２竿体と、第２竿体の外周面に周方向に回転自在に配置され雌ネジ部に螺合するネジ山が形成された雄ネジ部材と、第１竿体及びジョイントナットに挿入可能に、第２竿体の雄ネジ部材より竿元側の外周面に配置され、外周面の穂先側に形成され径外方向に突出する係止突起に回止リングの第１係止部に凹凸係止する合成樹脂製の第２係止部を有する合成樹脂製のパイプ部材とを備え、第２竿体を第１竿体に穂先側から挿入後、ジョイントナットに雄ネジ部材を螺合させて、第１竿体と第２竿体とを連結できるようにしたことを特徴とする。
この構造において第１竿体と第２竿体とを連結する場合には、第１竿体の穂先側に第２竿体を挿入し、雄ネジ部材を雌ネジ部に螺合させつつ、第１竿体の回止リングの第１係止部と第２竿体の第２係止部とを軸方向において凹凸状に係止させる。ここで、第１係止部と第２係止部とは合成樹脂製であり、凹凸状に係止させても互いに食い込んだり損傷しあうことが少ない。そして、合成樹脂同士が強固に固着することもなく第１竿体と第２竿体との周方向への不要なずれを抑えつつ安定した連結状態を維持する。また、合成樹脂により容易に各竿体に第１係止部と第２係止部とを加工することができ、その凹凸係止の微調整も容易である。
この場合には、第２係止部が第２竿体とは別個のパイプ部材上に形成されており、その製造及び配置がさらに簡易になる。
【０００７】
発明２の竿体の連結構造は、発明１の構造であって、回止リングは周方向に１８０度変位した位置に第１係止部をそれぞれ有し、パイプ部材は外周面の周方向に１８０度変位した位置に第２係止部をそれぞれ有している。
この場合には、周方向に１８０度変位して設けられたそれぞれの第１係止部及び第２係止部が凹凸係止し、第１竿体と第２竿体との連結時のがたつき等をさらに有効に抑えられる。また、第２竿体の雄ネジ部材を第１竿体の雌ネジ部に強く締め込んだ際に軸方向から第２竿体が第１竿体に対して傾いてしまうのも抑えられる。
【０００８】
発明３の竿体の連結構造は、発明１又は２の何れかの構造であって、第１係止部は穂先側方向に突出する平面視楕円型突起であり、第２係止部は穂先側側方向に凹入する平面視三角形窪みである。
この場合には、所定形状の第１係止部と第２係止部が互いに凹凸係止されることでがたつきの安定性がさらに向上する。また、第１係止部と第２係止部とが係止時に強く固着してしまうこともない。
【０００９】
【発明の実施の形態】
以下、本発明の一実施形態について図面を参照しつつ説明する。
（釣竿の全体構造）
本発明の一実施形態を採用した釣竿は、図１に示すように、元竿１と元竿１の穂先側に挿入され脱着自在に連結される竿本体２とを有している。
【００１０】
元竿１は炭素繊維強化樹脂，ガラス繊維強化樹脂等からなるプリプレグシートから形成される筒状部材であり、リールを脱着自在に装着可能なリールシート３と、リールシート３の竿元側周面に配置される竿元グリップ４と、竿元側端部に装着される尻栓５とを有している。また、穂先側端部には内周面にネジ山が形成された筒状のジョイントナット６が配置される。
【００１１】
一方、竿本体２は中実の細棒部材であり、中実のソリッド体の外周にプリプレグシートを巻回し形成される。この竿本体２は、周面上に間隔を隔てて配置された複数の釣糸ガイド７と、竿元側端部の外周面にはめ込まれたパイプ状のスペーサ８と、スペーサ８の穂先側に配置され穂先側がラッパ状に広がったテーパ鍔を有するグリップリング１２と、グリップリング１２の外周に周方向に回転自在に配置されたジョイントボルト９と、その穂先側周面に配置されたフロントグリップ１０とを有している。ここで、ジョイントボルト９はグリップリング１２のテーパ鍔とスペーサ８との間で軸方向に滑動自在となる。また、スペーサ８の竿元側端部には栓材１１がはめ込まれている。
【００１２】
そして、竿本体２の竿元側端部をスペーサ８と共に元竿１の穂先側から挿入し、ジョイントボルト９をジョイントナット６に螺合させて、元上竿２を元竿１に連結し固定する。
（連結部分について）図２及び図３に詳しく示すように、元竿１の穂先側端部に配置されるジョイントナット６は、穂先側ほど大径になるテーパが施された合成樹脂または金属製の短筒部材である。竿元側から軸方向中央付近にかけて元竿１の穂先側端部が挿入されその外周面に接着剤等で固定される。一方穂先側の内周面にはネジ山が形成されておりナット部６ａとなっている。さらに、このナット部６ａと元竿１との間（ジョイントナット６の軸方向中央付近）の内部には回止リング２０が挿入され接着剤等により固定されている。図４に示すように、回止リング２０はガラス繊維等を混入し強化した合成樹脂、例えば、繊維混入PBT等により構成されるリング状部材である。そのリング周縁には周方向に１８０度変位した２カ所において穂先側に向かって軸方向に突出する第１係止部２０ａが一体的に形成されている。この第１係止部２０ａは平面視において穂先側に突出する半楕円型形状である。
【００１３】
また、図２及び図５に詳しく示すように、竿本体２の竿元側外周に固定されたスペーサ８は、ガラス繊維や炭素繊維等を混入し強化した合成樹脂、例えば、繊維混入PBT等により構成されるパイプ状部材である。このスペーサ８はその外形がおよそ元竿１の穂先側内径に合致するものであり、竿本体２の竿元側端部と共に元竿１の内部に挿入される部分である。スペーサ８の穂先側端部外周面には径外方向に突出する係止突起２１が一体的に形成されており、この係止突起２１には周方向に１８０度変位した２カ所において竿元側から穂先側に向かって軸方向に凹入する第２係止部２１ａが削作されている。この第２係止部２１ａは平面視において穂先側に突出する三角形状である。なお、係止突起２１はその外径がジョイントナット６の内径より小さく、係止突起２１を含めてスペーサ８をジョイントナット６内に挿入自在である。
【００１４】
また、ジョイントボルト９は竿元側の小径部分と穂先側の大径部分とを有する筒状部材である。小径部分外径はジョイントナット６の内径にほぼ合致しており、大径部分はそれより大径である。この穂先側の小径部分の外周面にネジ山が形成されておりボルト部分９ａとなっている。先に述べたようにこのジョイントボルト９はグリップリング１２上に周方向に回転自在に配置されておりかつ、一定範囲において軸方向に滑動自在である。
【００１５】
この連結部分において、以下のようにして元竿１と竿本体２とが連結される。
まず、元竿１の穂先側から竿本体２の竿元側端部をスペーサ８と共に挿入する。この際には栓材１１が竿本体２の竿元側端面を保護している。挿入された元上竿２はスペーサ８の係止突起２１がジョイントナット６内の回止リング２０に当接することで、それ以上の竿元側への挿入が規制される。この際、竿本体２を周方向に回転させながら第１係止部２０ａと第２係止部２１ａとを周方向において合致させる。
【００１６】
続いて、図６に示すように、ジョイントボルト９のボルト部分９ａをジョイントナット６のナット部６ａに螺合させて締め込む。この螺合により第１係止部２０ａと第２係止部２１ａとがしっかりと凹凸状に係止することになる。ここで、第１係止部２０ａと第２係止部２１ａとは合成樹脂製であり、凹凸状に係止させても互いに食い込んだり損傷しあうことが少ない。そして、合成樹脂同士が強固に固着することもなく元竿１と竿本体２との周方向への不要なずれやがたつきを抑えつつ安定した連結状態を維持する。
【００１７】
合成樹脂製であるが故に第１係止部２０ａと第２係止部２１ａとの加工は容易であり、また凹凸係止の微調整も容易である。特に、第２係止部２１ａは竿本体２とは別個のスペーサ８に形成されており、その製造及び配置がさらに簡易である。また、第１係止部２０ａ及び第２係止部２１ａはそれぞれ周方向に１８０度変位して設けられており、複数箇所で凹凸係合するので元竿１と竿本体２との連結時のがたつき等をさらに有効に抑える。また、強度に螺合させて竿本体２を元竿１内方向に強く締め込んでしまった場合でも、竿本体２と元竿１との軸方向からの傾きの発生を軽減できる。
【００１８】
［他の実施形態］
（ａ）上記実施形態においては、元竿１にジョイントナット６を設け、竿本体２にジョイントボルト９を設けているが、その位置関係は互いに入れ替えてもよい。
（ｂ）第１係止部２０ａと第２係止部２１ａの形状は上記実施形態に限定されるものではない。その他の種々の凹凸係止を用いることが可能である。
（ｃ）第１係止部と第２係止部を構成する合成樹脂は、その他周知の合成樹脂を採用可能である。
【００１９】
【発明の効果】
本発明にかかる竿体の連結構造によれば、簡易な構造で竿体同士をしっかりと連結可能である。
【図面の簡単な説明】
【図１】本発明の一実施形態を採用した釣竿の全体図。
【図２】図１の元竿１と竿本体２との連結部分の断面図。
【図３】図２のジョイントナット６の断面図。
【図４】図３の回止リング２０の拡大図。
【図５】図２のスペーサ８の拡大図。
【図６】元竿１と竿本体２との連結状態の断面図。
【図７】従来の連結構造を示した図。
【符号の説明】
１ 元竿
２ 竿本体
６ ジョイントナット
９ ジョイントボルト
８ スペーサ
２０ 回止リング
２０ａ 第１係止部
２１ 係止突起
２１ａ 第２係止部
【図１】
0004380014.tif 000002
【図２】
0004380014.tif 000003
【図３】
0004380014.tif 000004
【図４】
0004380014.tif 000005
【図５】
0004380014.tif 000006
【図６】
0004380014.tif 000007
【図７】
0004380014.tif 000008